(57)【要約】【課題】  着用者が着衣内で自らの乳房から授乳することができるワンピースタイプの女性用衣服であり、着用者が乳児を抱き抱えた姿勢でも乳児を背負った姿勢でも乳児と一緒に着用することができ、かつ、着用者が乳児を連れて外出する際に携帯する乳児用品を簡便に携帯することができる女性用衣服を提供する。【解決手段】  女性用衣服１は、前身頃２と、後身頃３と、肩ひも４とから構成される。女性用衣服１は、その内寸を着用者が乳児と一緒に着用することができる寸法とし、かつ、その首回りの寸法を着用者が乳児と一緒に着用した際に着用者の頭部と乳児の頭部とをともに挿通することができる寸法とし、後襟部５は、横方向に伸縮可能になっている。また、後身頃３の内面には敷物掛止具８、後襟部５の近傍には玩具係止具１０、そして前身頃２の外面にはおむつ収納ポケット１２がそれぞれ設けられている。【選択図】      図３
0003154166.tif 000002
【実用新案登録請求の範囲】
【請求項１】
着用者が身に付けたままで自らの乳房から授乳することができるワンピースタイプの女性用衣服であって、該女性用衣服の内寸を着用者が乳児と一緒に着用することができる寸法とし、かつ、該女性用衣服の首回りの寸法を着用者が乳児と一緒に着用した際に着用者の頭部と乳児の頭部とをともに挿通することができる寸法とするとともに、該女性用衣服の後襟部を横方向に伸縮可能なようにして首回りの長さを調節できるようにしたことを特徴とする女性用衣服。
【請求項２】
請求項１に記載した女性用衣服であって、前記女性用衣服の前身頃は左右に分かれるようになっているとともに、後身頃の内面に乳児のおむつを交換する際に乳児の下に敷く敷物を着脱可能なように掛け止めるための掛止具を取り付けたことを特徴とする女性用衣服。
【請求項３】
請求項１又は２に記載した女性用衣服であって、前記後襟部の近傍に乳児用玩具を引っ掛けるための係止具を取り付けたことを特徴とする女性用衣服。
【請求項４】
請求項１から３までの何れかに記載した女性用衣服であって、前記女性用衣服の身頃に乳児用おむつを収納することができる程度の収容空間を備えたポケット部を設けたことを特徴とする女性用衣服。
【考案の詳細な説明】
【技術分野】
【０００１】
本考案は、着用者が身に付けたままで自らの乳房から授乳することができるワンピースタイプの女性用衣服に関し、着用者が着衣内で自らの乳房から授乳することができるとともに、着用者が乳児を抱き抱えた姿勢でも乳児を背負った姿勢でも乳児と一緒に着用することができ、かつ、着用者が乳児を連れて外出する際に携帯する乳児用品を簡便に携帯することができる女性用衣服に関する。
【背景技術】
【０００２】
従来、女性が乳児を伴って外出した際に、自らの乳房から授乳を行うときには、人目を避ける必要があることから、例えば、授乳室や化粧室等の人目を避けることのできる場所において授乳を行うか、あるいは人目を避けることのできない場所において授乳を行わなければならない場合にはタオル等で自らの胸元を隠して人目を憚りながら授乳を行わなければならないという問題があった。
【０００３】
そこで、女性が乳児を伴って外出する際には、上記のような人目を避けることのできない場所において自らの乳房から授乳を行わなければならない場合に備えて、胸元を隠すためのタオルや授乳用のカバーを携帯してきたところである。このような授乳用のカバーとしては、例えば、紐状の部材を取り付けたカバーであって、授乳者が自らの首に該紐状の部材を掛けて自らの乳房をカバーで覆い隠す授乳用のカバー（例えば、特許文献１参照。）等が存在している。
【０００４】
しかしながら、女性が乳児を伴って外出する際には、例えば、外出先で交換するためのおむつ、おむつを交換する際に乳児の下に敷く敷物、及び乳児をあやすためのおしゃぶりをはじめとする乳児用玩具等の他の乳児用品も携帯しなければならないところ、これらに加えて上記のようなタオルや授乳用のカバー等も別に携帯することは煩雑である。
【０００５】
そこで、人目を避けることのできない場所において授乳を行う際にも、人目を憚りながら簡便に自らの乳房から授乳することができるとともに、授乳用の衣服でありながらも、授乳時以外の通常の着衣状態にあっては、他者に授乳用の衣服であることを認識させることのない通常の女性用衣服としての外観を呈する女性用衣服が提案されているところである。このような女性用衣服としては、例えば、伸縮自在にした前襟ぐりを片手で引き延ばして胸元を露出して授乳することができるようにした女性用衣服（例えば、特許文献２参照。）等が存在している。
【先行技術文献】
【特許文献】
【０００６】
【特許文献１】特開２００２−１６１４１６号公報
【特許文献２】登録実用新案第３１４５３０４号公報
【考案の概要】
【考案が解決しようとする課題】
【０００７】
確かに、上記の従来技術に係る女性用衣服は、女性が乳児を伴って外出する際に該女性用衣服を着用することにより、着用者が自らの乳房から授乳を行うときに自らの胸元を隠すためのタオルや授乳用のカバーを別途携帯する必要がなくなるという観点からは有効である。また、授乳用の衣服でありながらも、授乳時以外の通常の着用状態にあっては、他者に授乳用の衣服であることを認識させることのない通常の女性用衣服としての外観を呈していることから、乳児を伴わないで外出する際に着用しても他者に違和感を与えることがないという観点からも有効である。
【０００８】
しかしながら、上記の従来技術に係る女性用衣服は、着用者が着衣の外側に自らの乳房を露出して授乳を行うため、人目を避けるという観点からはなお十分とはいえない。そこで、本考案が解決しようとする第一の課題は、着用者が身に付けたままで自らの乳房から授乳することができるワンピースタイプの女性用衣服につき、着用者が着衣内で自らの乳房から授乳することができる女性用衣服を提供することにある。
【０００９】
また、上記の従来技術に係る女性用衣服は、着用者が身に付けたまま抱き抱えて授乳する姿勢のみを考慮しており、着用者が乳児を背負った姿勢で着用することは考慮されていない。常に乳児を抱き抱えた姿勢では着用者も疲労することから、着用者が疲労を軽減するために姿勢を変えて乳児を背負った姿勢になっても着用し得るようにすることが好ましい。そこで、本考案が解決しようとする第二の課題は、着用者が身に付けたままで自らの乳房から授乳することができるワンピースタイプの女性用衣服につき、着用者が乳児を抱き抱えた姿勢でも乳児を背負った姿勢でも乳児と一緒に着用することができる女性用衣服を提供することにある。
【００１０】
また、上記の従来技術に係る女性用衣服により、該女性用衣服の着用者は別個に授乳の際に胸元を隠すためのタオルやカバーを携帯する必要はなくなったものの、上記の通り、例えば、交換用のおむつ、おむつを交換する際に用いる敷物、及び乳児用玩具等の着用者が乳児を連れて外出する際に携帯すべき乳児用品はなお数多く存在するところである。そこで、本考案が解決しようとする第三の課題は、着用者が身に付けたままで自らの乳房から授乳することができるワンピースタイプの女性用衣服につき、着用者が乳児を伴って外出する際に携帯する乳児用品を身に付けられることにより簡便にこれを携帯することができる女性用衣服を提供することにある。
【課題を解決するための手段】
【００１１】
本考案の第一及び第二の課題を解決するため、請求項１に係る女性用衣服は、着用者が身に付けたままで自らの乳房から授乳することができるワンピースタイプの女性用衣服であって、該女性用衣服の内寸を着用者が乳児と一緒に着用することができる寸法とし、かつ、該女性用衣服の首回りの寸法を着用者が乳児と一緒に着用した際に着用者の頭部と乳児の頭部とをともに挿通することができる寸法とするとともに、該女性用衣服の後襟部を横方向に伸縮可能なようにして首回りの長さを調節できるようにしたことを特徴とする女性用衣服である。
【００１２】
本考案の第一から第三までの課題を解決するため、請求項２に係る女性用衣服は、請求項１に記載した女性用衣服であって、前記女性用衣服の前身頃は左右に分かれるようになっているとともに、後身頃の内面に乳児のおむつを交換する際に乳児の下に敷く敷物を着脱可能なように掛け止めるための掛止具を取り付けたことを特徴とする女性用衣服である。
【００１３】
本考案の第一から第三までの課題を解決するため、請求項３に係る女性用衣服は、請求項１又は２に記載した女性用衣服であって、前記後襟部の近傍に乳児用玩具を引っ掛けるための係止具を取り付けたことを特徴とする女性用衣服である。
【００１４】
本考案の第一から第三までの課題を解決するため、請求項４に係る女性用衣服は、請求項１から３までの何れかに記載した女性用衣服であって、前記女性用衣服の身頃に乳児用おむつを収納することができる程度の収容空間を備えたポケット部を設けたことを特徴とする女性用衣服である。
【考案の効果】
【００１５】
請求項１に記載した本考案に係る女性用衣服は、上記の通りの構成であるから、以下のような効果を奏することができる。
【００１６】
請求項１に記載した女性用衣服は、その内寸を着用者が乳児と一緒に着用することができる寸法とし、かつ、その首回りの寸法を着用者が乳児と一緒に着用した際に着用者の頭部と乳児の頭部とをともに挿通することができる寸法とするとともに、後襟部を伸縮可能なようにして首回りの長さを調節できることによって、着用者が乳児とともに着用する場合にあっては、後襟部を横方向に伸長させて首回りを広げることにより産婦用衣服として着用することができる一方で、着用者が単独で着用する場合にあっては、後襟部を収縮させて首回りを縮めることにより通常の女性用衣服として着用することができるのである。
【００１７】
また、着用者が授乳する際には、着用者は、乳児を抱き抱えた状態となって、該後襟部を横方向に伸長させて首回りを広げた状態で該女性用衣服を前後反対に着用することにより、人目を避けることのできない場所において授乳を行う際にも、人目を避けながら簡便に自らの乳房から授乳することができるのである。
【００１８】
従って、請求項１に記載した女性用衣服は、着用者が身に付けたままで自らの乳房から授乳することができるワンピースタイプの女性用衣服につき、着用者が着衣内で自らの乳房から授乳することができる女性用衣服を提供するという本考案の第一の課題を解決することができるとともに、着用者が乳児を抱き抱えた姿勢でも乳児を背負った姿勢でも乳児と一緒に着用することができる女性用衣服を提供するという本考案の第二の課題を解決することができるのである。
【００１９】
また、請求項２に記載した女性用衣服は、請求項１に係る女性用衣服であって、前記女性用衣服の前身頃は左右に分かれるようになっているとともに、該女性用衣服の後身頃内面に乳児のおむつを交換する際に乳児の下に敷く敷物を着脱可能なように掛け止めるための掛止具を取り付けたことにより、着用者が上記のような嵩張る敷物を持ち運ぶ必要がなくなる。更に、着用者は、該敷物を掛け止めた該女性用衣服を脱衣の上敷設するだけで簡便に乳児のおむつを交換する作業を行うことができる。従って、請求項２に記載した女性用衣服は、着用者が身に付けたままで自らの乳房から授乳することができるワンピースタイプの女性用衣服につき、着用者が乳児を伴って外出する際に携帯する乳児用品を身に付けられることにより簡便にこれを携帯することができる女性用衣服を提供するという本考案の第三の課題を解決することができる。
【００２０】
更に、請求項３に記載した女性用衣服は、請求項１又は２に係る女性用衣服であって、前記女性用衣服の後襟部の近傍に乳児用玩具を引っ掛けるための係止具を取り付けたことにより、まず、着用者が乳児用玩具を持ち運ぶ必要がなくなる。更に、着用者自身が乳児用玩具を手に持って着用者の抱き抱えているあるいは背負っている乳児をあやす必要がなくなるから、着用者はその両手が解放された状態となる。従って、請求項３に記載した女性用衣服は、着用者が身に付けたままで自らの乳房から授乳することができるワンピースタイプの女性用衣服につき、着用者が乳児を伴って外出する際に携帯する乳児用品を身に付けられることにより簡便にこれを携帯することができる女性用衣服を提供するという本考案の第三の課題を解決することができる。
【００２１】
そして、請求項４に記載した女性用衣服は、請求項１から３までの何れかに係る女性用衣服であって、前記女性用衣服の身頃外面に乳児用おむつを収納することができる程度の収容空間を有するポケット部を設けたことにより、着用者が嵩張る乳児用おむつを持ち運ぶ必要がなくなるから、着用者が身に付けたままで自らの乳房から授乳することができるワンピースタイプの女性用衣服につき、着用者が乳児を伴って外出する際に携帯する乳児用品を身に付けられることにより簡便にこれを携帯することができる女性用衣服を提供するという本考案の第三の課題を解決することができる。
【図面の簡単な説明】
【００２２】
【図１】本考案の一実施形態に係る女性用衣服の前身頃を閉じた状態を示した正面図である。
【図２】本考案の一実施形態に係る女性用衣服の前身頃の双方を開いた状態を示した正面図である。
【図３】本考案の一実施形態に係る女性用衣服の前身頃の一方を開いた状態を示した正面図である。
【図４】本考案の一実施形態に係る女性用衣服の後襟部の拡大正面図である。
【図５】本考案の他の実施形態に係る女性用衣服の後襟部の拡大正面図である。
【考案を実施するための形態】
【００２３】
図１から３に図示するように、本考案の一実施形態に係る女性用衣服１は、前身頃２と、後身頃３と、肩ひも４とから構成される。
【００２４】
女性用衣服１は、図１から３に図示するように、ワンピースタイプの女性用衣服であり、着用者が着衣内で自らの乳房から授乳することができるように、その内寸を着用者が乳児を抱き抱えて着用することができる寸法とする。女性用衣服１は、着用者として平均的な体格の女性を想定した場合、図２に図示するように、前身頃２を開いた状態にしたときの寸法を縦約７０〜９０センチメートル、横約１１０〜１３０センチメートルとするのが好適であるが、着用者が乳児を抱き抱えて着用することができる寸法であれば、特に上記の寸法に限られるものではなく、着用者並びに着用者の抱き抱える乳児の体格に合わせた寸法とすることができる。
【００２５】
また、女性用衣服１の首回りは、着用者が乳児を背負って着用した際に着用者の頭部と乳児の頭部とをともに挿通することができるように、着用者として平均的な体格の女性を想定した場合、図２に図示するように、前身頃２を開いた状態にしたときの首回りの寸法を約１００〜１２０センチメートルとするのが好適であるが、着用者が乳児を背負って着用した際に着用者の頭部と乳児の頭部とをともに挿通することができる寸法であれば、特に上記の寸法に限られるものではなく、着用者並びに着用者の背負う乳児の首回りに合わせた寸法とすることができる。
【００２６】
女性用衣服１は、図２から４に図示するように、後身頃３の上縁部に形成された後襟部５が横方向に伸縮可能なようになっている。図示するように、後襟部５は、後身頃３の上縁部を筒状に形成し、該筒内に複数のボタン孔６ａの穿設された平ゴム紐６が挿通されている。着用者は、後襟部５の内面に穿設された平ゴム紐挿通孔５ａの近傍に縫い付けられた平ゴム紐係止ボタン５ｂに所望の位置にあるボタン孔６ａを掛けて女性用衣服１の首回りを調節することができる。
【００２７】
あるいはまた、後襟部５は、図５に図示するように、後身頃３の上縁部を筒状に形成し、該筒内に長さ調節紐７を左右に一本ずつ挿入する。それぞれの長さ調節紐７は、図示するように、一端が該筒内に縫い付けられているのに対し、他端が後襟部４の外面に穿設された長さ調節紐挿入孔５ｃから外部に突出している。着用者は、長さ調節紐７の外部に突出している端部を引っ張って、二本の長さ調節紐７を所望の位置で締結することにより女性用衣服１の首回りを調節することができる。
【００２８】
着用者は、乳児とともに女性用衣服１を着用する場合にあっては、後襟部５を横方向に伸長させて首回りを広げることにより、産婦用衣服として着用することができる。一方、着用者は、単独で女性用衣服１を着用する場合にあっては、後襟部５を横方向に収縮させて首回りを縮めることにより、通常の女性用衣服として着用することができるのである。
【００２９】
着用者は、また、女性用衣服１を着用したまま授乳する際には、乳児を抱き抱えた状態となって、後襟部５を横方向に伸長させて首回りを広げた状態で女性用衣服１を前後反対に着用することにより、人目を避けることのできない場所において授乳を行う際にも、人目を避けながら簡便に自らの乳房から授乳することができるのである。
【００３０】
従って、女性用衣服１は、着用者が着衣内で自らの乳房から授乳することができるとともに、着用者が乳児を抱き抱えた姿勢でも乳児を背負った姿勢でも乳児と一緒に着用することができるのである。
【００３１】
女性用衣服１は、図２及び３に図示するように、前身頃２が左右に分かれるようになっているとともに、後身頃３の内面に敷物掛止具８が取り付けられている。敷物９にボタン孔が穿設されている場合には、図示するように、敷物掛止具８としてボタンを用いることができるが、敷物９に面ファスナーが取り付けられている場合には、敷物掛止具８として面ファスナーを用いることができ、敷物９を掛け止めることができる部材であれば特に限定されない。
【００３２】
着用者は、乳児を伴って外出する際に、敷物掛止具８に乳児のおむつを交換する際に乳児の下に敷く敷物９を掛け止めて女性用衣服１を着用することにより、敷物９を持ち運ぶ必要がなくなる。更に、着用者は、図２に図示するように、敷物９を掛け止めた女性用衣服１を脱衣の上前身頃２を開いて敷設するだけで簡便に乳児のおむつを交換する作業を行うことができるのである。
【００３３】
女性用衣服１は、図２及び３に図示するように、後襟部５の近傍に玩具係止具１０が取り付けられている。図では、玩具係止具１０は、紐状の部材をリング状に形成した部材であるが、乳児用玩具６を引っ掛けることのできる形状の部材であればよく、特に、上記のような形状の部材に限定されるものではない。
【００３４】
着用者は、乳児を伴って外出する際に、玩具係止具１０に乳児用玩具１１を引っ掛けて女性用衣服１を着用することにより、乳児用玩具１１を持ち運ぶ必要がなくなる。更に、着用者は、自らが乳児用玩具１１を手に持って着用者の抱き抱えているあるいは背負っている乳児をあやす必要がなくなるから、着用者はその両手が解放された状態となり、特に着用者が戸外を歩行している際には交通安全の観点からも好適である。
【００３５】
女性用衣服１は、図２及び３に図示するように、前身頃２の外面の内、着用者の腰の当たる位置におむつ収納ポケット１２が設けられている。おむつ収納ポケット１２の大きさは、縦横約１５〜２５センチメートルであるが、乳児用おむつを収納することができる程度の収容空間を有するポケットであれば、特にその大きさは限定されない。
【００３６】
着用者は、乳児を伴って外出する際に、乳児用おむつ１３をおむつ収納ポケット１２に収納して女性用衣服１を着用することにより、外出先で取り換えるための乳児用おむつ１３を持ち運ぶ必要がなくなるのである。
【００３７】
従って、女性用衣服１は、着用者が乳児を伴って外出する際に携帯する敷物９、乳児用玩具１１、及び乳児用おむつ１３等の乳児用品を身に付けられることにより簡便にこれを携帯することができるのである。
【符号の説明】
【００３８】
１  女性用衣服
２  前身頃
３  後身頃
４  肩ひも
５  後襟部
５ａ  平ゴム紐挿通孔
５ｂ  平ゴム紐係止ボタン
５ｃ  長さ調節紐挿入孔
６  平ゴム紐
６ａ  ボタン孔
７  長さ調節紐
８  敷物掛止具
９  敷物
１０  玩具係止具
１１  乳児用玩具
１２  おむつ収納ポケット
１３  乳児用おむつ
【図１】
0003154166.tif 000003
【図２】
0003154166.tif 000004
【図３】
0003154166.tif 000005
【図４】
0003154166.tif 000006
【図５】
0003154166.tif 000007